(57)【要約】【課題】粘着テープに孔を開けることなく、粘着テープの滑りを抑制することができ、利便性の高いテープカッター及びテープディスペンサを提供すること。【解決手段】ユーザは、粘着テープ５の端部５ｃの位置が、刃５２の位置を超えるように引き出し、粘着テープ５の下面側である非粘着面５ｂで弾性板５３を押圧する。この時、弾性板５３はコイルバネ５９の付勢力に抗して押圧されるので、弾性板５３は弾性力を持つ状態になる。そして、粘着テープ５の非粘着面５ｂ側から刃５２により粘着テープ５が切断される。ユーザが吸着ローラ５８に接触させながら粘着テープ５を矢印Ｃの方向に引き出すことも考えられるが。吸着ローラ５８が回転することにより、例えばユーザが吸着テープを引き出す時に、粘着テープ５が吸着ローラ５８に接触して吸着したとしても、スムーズに粘着テープ５を引き出すことができる。また、粘着テープに孔を開けることもない。【選択図】図５
2011030395.tif 000002
【特許請求の範囲】
【請求項１】
ベース部材と、
前記ベース部材に設けられ、粘着面及び非粘着面を有する粘着テープの前記非粘着面側から、前記粘着テープを切断することが可能な刃と、
前記ベース部材に設けられた第１の軸部と、
前記第１の軸部を介して前記ベース部材に弾性的に装着され、前記粘着テープが引き出されて前記刃により前記粘着テープが切断される時に、前記弾性力に抗して前記粘着テープの前記非粘着面に押圧される弾性板と、
前記弾性板に設けられた第２の軸部と、
前記第２の軸部を介して前記弾性板に回動可能に装着され、前記切断後の前記弾性板の戻り力を利用して前記非粘着面と接しながら前記第２の軸部を中心に回動することで、前記粘着テープの切断端を所定の位置まで折り返す折返し板と、
前記粘着テープの引き出し方向に直交する軸を中心に回転可能に設けられ、前記弾性板が前記粘着テープの前記非粘着面に押圧される時に、前記非粘着面に吸着可能な吸着ローラと
を具備するテープカッター。
【請求項２】
請求項１に記載のテープカッターであって、
前記吸着ローラは、前記弾性板に設けられているテープカッター。
【請求項３】
請求項２に記載のテープカッターであって、
前記折返し板は、前記折返し板が折り返す方向に突出するように設けられたフランジ部を有するテープカッター。
【請求項４】
請求項３に記載のテープカッターであって、
前記フランジ部により前記粘着テープが押圧される時、前記フランジ部が前記粘着テープを介して前記吸着ローラを押圧するような位置に、前記フランジ部または前記吸着ローラが配置されているテープカッター。
【請求項５】
請求項１に記載のテープカッターであって、
前記吸着ローラは、前記折返し板に設けられているテープカッター。
【請求項６】
請求項１から５のうちいずれか１項に記載のテープカッターであって、
前記吸着ローラは、前記粘着テープに吸着可能な粘着材を有するテープカッター。
【請求項７】
請求項１から５のうちいずれか１項に記載のテープカッターであって、
前記吸着ローラは、真空により前記粘着テープに吸着する複数の吸着盤を有するテープカッター。
【請求項８】
請求項１から７のうちいずれか１項に記載のテープカッターであって、
前記第２の軸部に設けられたねじりコイルバネをさらに具備し、
前記折返し板は、前記ねじりコイルバネの付勢力に抗して前記粘着テープの前記切断端を折り返すテープカッター。
【請求項９】
粘着面及び非粘着面を有し巻回された粘着テープを保持する保持部と、
前記粘着テープを引き出すために、前記保持部を回転可能に支持する本体と、
ベース部材と、
前記ベース部材に設けられ、前記粘着テープの前記非粘着面側から、前記粘着テープを切断することが可能な第１の刃と、
前記ベース部材に設けられた第１の軸部と、
前記第１の軸部を介して前記ベース部材に弾性的に装着され、前記粘着テープが引き出されて前記第１の刃により前記粘着テープが切断される時に、前記弾性力に抗して前記粘着テープの前記非粘着面に押圧される弾性板と、
前記弾性板に設けられた第２の軸部と、
前記第２の軸部を介して前記弾性板に回動可能に装着され、前記切断後の前記弾性板の戻り力を利用して前記非粘着面と接しながら前記第２の軸部を中心に回動することで、前記粘着テープの切断端を所定の位置まで折り返す折返し板と、
前記粘着テープの引き出し方向に直交する軸を中心に回転可能に設けられ、前記弾性板が前記粘着テープの前記非粘着面に押圧される時に、前記非粘着面に吸着可能な吸着ローラとを有し、前記本体に設けられたテープカッターと
を具備するテープカッターユニット。
【請求項１０】
請求項９に記載のテープカッターであって、
前記本体の、前記保持部に対して前記テープカッターが設けられる側とは反対側に設けられ、前記粘着テープを、前記粘着面側から切断することが可能な第２の刃をさらに具備するテープカッターユニット。
【発明の詳細な説明】
【技術分野】
【０００１】
本発明は、粘着テープを切断することが可能なテープディスペンサ及びこれに用いられるテープカッターに関する。
【背景技術】
【０００２】
粘着テープを切断するテープカッターとして、ユーザが利用しやすいように粘着テープの端部を所定の長さだけ折り返すことが可能なテープカッターがある（例えば、特許文献１参照。）。粘着テープの端部が折り返されることにより、非粘着部が形成され、利用者はその非粘着部を持ってテープを貼ったり剥がしたりすることができ、便利である。【０００３】
このテープカッターでは、予め粘着面が上面（非粘着面が下面）になるように、リング状の粘着テープが保持部に保持されている。その図１０に示されるように、ユーザが粘着テープの端部を摘んで引き出し、テープカッターの弾性板（２２）を、粘着テープで下方へ押圧することにより、軸部（２３）に接続された弾性板（２２）が下方へ下がり、刃により粘着テープが切断される。そうすると、弾性板（２２）は自身が持っている弾性力により元の位置に（上方に）戻る。弾性板（２２）が元の位置に戻るとき、弾性板（２２）に接続された折返し板（２８）が、弾性板（２２）の戻り力を利用して軸部（２９）を中心に回転し、切断後に保持部側に残された粘着テープの端部が折り返される。【０００４】
また、このテープカッターでは、ユーザが粘着テープを引き出し、弾性板（２２）を押圧したときに、ベース部材（２１）の下部から突き出るように設けられたピン（３０）が粘着テープの下面から突き刺さる。これにより、粘着テープが切断される時、または、折返し板が折り返されて粘着テープの端部が折り返される時、粘着テープが滑ったり横方向にずれたりすることを抑制することができる（特許文献１の明細書段落[００５１]記載）。
【先行技術文献】
【特許文献】
【０００５】
【特許文献１】国際公開第２００６−０８５３９８号公報
【発明の概要】
【発明が解決しようとする課題】
【０００６】
しかしながら、上記の構成では、ピンが粘着テープに突き刺さることにより粘着テープに孔が開いてしまい、粘着テープの外観が悪くなるという問題がある。また、ユーザは、一旦粘着テープをピンに突き刺した後、粘着テープの切断位置を変更しようとして、粘着テープをさらに引き出すということも考えられる。その場合、ユーザは、ピンから粘着テープを一旦解放し、さらに粘着テープの別の位置にピンを突き刺す必要がある。【０００７】
以上のような事情に鑑み、本発明の目的は、粘着テープに孔を開けることなく、粘着テープの滑りを抑制することができ、利便性の高いテープカッター及びテープディスペンサを提供することにある。
【課題を解決するための手段】
【０００８】
上述の課題を解決するため、本発明に係るテープカッターは、ベース部材と、刃と、第１の軸部と、弾性板と、第２の軸部と、折返し板と、吸着ローラとを具備する。  
前記刃は、前記ベース部材に設けられ、粘着面及び非粘着面を有する粘着テープの前記非粘着面側から、前記粘着テープを切断することが可能である。  
前記第１の軸部は、前記ベース部材に設けられている。  
前記弾性板は、前記第１の軸部を介して前記ベース部材に弾性的に装着され、前記粘着テープが引き出されて前記刃により前記粘着テープが切断される時に、前記弾性力に抗して前記粘着テープの前記非粘着面に押圧される。  
前記第２の軸部は、前記弾性板に設けられている。  
前記折返し板は、前記第２の軸部を介して前記弾性板に回動可能に装着され、前記切断後の前記弾性板の戻り力を利用して前記非粘着面と接しながら前記第２の軸部を中心に回動することで、前記粘着テープの切断端を所定の位置まで折り返す。  
前記吸着ローラは、前記粘着テープの引き出し方向に直交する軸を中心に回転可能に設けられ、前記弾性板が前記粘着テープの前記非粘着面に押圧される時に、前記非粘着面に吸着可能である。【０００９】
本発明に係るテープディスペンサは、保持部と、本体と、テープカッターとを具備する。  
前記保持部は、粘着面及び非粘着面を有し巻回された粘着テープを保持する。  
前記本体は、前記粘着テープを引き出すために、前記保持部を回転可能に支持する。  
前記テープカッターは、ベース部材と、第１の刃と、第１の軸部と、弾性板と、第２の軸部と、折返し板と、吸着ローラとを具備し、前記本体に設けられている。  
前記第１の刃は、前記ベース部材に設けられ、前記粘着テープの前記非粘着面側から、前記粘着テープを切断することが可能である。  
前記第１の軸部は、前記ベース部材に設けられている。  
前記弾性板は、前記第１の軸部を介して前記ベース部材に弾性的に装着され、前記刃により前記粘着テープが切断される時に、前記弾性力に抗して前記粘着テープの前記非粘着面に押圧される。  
前記第２の軸部は、前記弾性板に設けられている。  
前記折返し板は、前記第２の軸部を介して前記弾性板に回動可能に装着され、前記切断後の前記弾性板の戻り力を利用して前記非粘着面と接しながら前記第２の軸部を中心に回動することで、前記粘着テープの切断端を所定の位置まで折り返す。  
前記吸着ローラは、前記粘着テープの引き出し方向に直交する軸を中心に回転可能に設けられ、前記弾性板が前記粘着テープの前記非粘着面に押圧される時に、前記非粘着面に吸着可能である。
【図面の簡単な説明】
【００１０】
【図１】本発明の第１の実施形態に係るテープディスペンサを示す斜視図である。
【図２】テープカッターを示す斜視図である。
【図３】図２に示すテープカッターの平面図である。
【図４】図２に示すテープカッターの側面図である。
【図５】テープカッターの動作を順に示す図である。
【図６】本発明の第２の実施形態に係るテープディスペンサを示す斜視図である。
【図７】本発明の他の実施形態に係るテープカッターの一部を示す図である。
【図８】さらに別の実施形態に係るテープカッターの一部を示す図である。
【発明を実施するための形態】
【００１１】
本形態に係るテープカッターは、ベース部材と、刃と、第１の軸部と、弾性板と、第２の軸部と、折返し板と、吸着ローラとを具備する。  
前記刃は、前記ベース部材に設けられ、粘着面及び非粘着面を有する粘着テープの前記非粘着面側から、前記粘着テープを切断することが可能である。  
前記第１の軸部は、前記ベース部材に設けられている。  
前記弾性板は、前記第１の軸部を介して前記ベース部材に弾性的に装着され、前記粘着テープが引き出されて前記刃により前記粘着テープが切断される時に、前記弾性力に抗して前記粘着テープの前記非粘着面に押圧される。  
前記第２の軸部は、前記弾性板に設けられている。  
前記折返し板は、前記第２の軸部を介して前記弾性板に回動可能に装着され、前記切断後の前記弾性板の戻り力を利用して前記非粘着面と接しながら前記第２の軸部を中心に回動することで、前記粘着テープの切断端を所定の位置まで折り返す。  
前記吸着ローラは、前記粘着テープの引き出し方向に直交する軸を中心に回転可能に設けられ、前記弾性板が前記粘着テープの前記非粘着面に押圧される時に、前記非粘着面に吸着可能である。
【００１２】
吸着ローラが設けられていることにより、粘着テープが吸着ローラに吸着するので、粘着テープに孔を開けることなく、粘着テープの滑りを抑制することができる。引き出し方向以外の方向には、吸着ローラは回転しないので、引き出し方向以外の方向への粘着テープの滑りを抑制できる。
【００１３】
また、吸着ローラが、粘着テープの引き出し方向に直交する軸を中心に回転することにより、例えばユーザが吸着テープを引き出す時に、粘着テープが吸着ローラに接触しても、スムーズに粘着テープを引き出すことができる。
【００１４】
前記折返し板は、前記折返し板が折り返す方向に突出するように設けられたフランジ部を有してもよい。このようなフランジ部により、折返し板が折り返された時に、折返し板は確実に押圧力を粘着テープに与えることができる。その結果、確実に粘着テープに折返し部を形成することができる。
【００１５】
前記フランジ部により前記粘着テープが押圧される時、前記フランジ部が前記粘着テープを介して前記吸着ローラを押圧するような位置に、前記フランジ部または前記吸着ローラが配置されていてもよい。つまり、折返し板が折り返された時に、フランジ部と吸着ローラとの間に粘着テープが挟まれ、それらの間で粘着テープが圧力を受けることにより、確実に粘着テープの折返し部を形成することができる。
【００１６】
前記吸着ローラは、前記弾性板及び前記折返し板のうち少なくとも一方に設けられていればよい。
【００１７】
前記吸着ローラは、前記粘着テープに吸着可能な粘着材を有してもよい。
【００１８】
前記吸着ローラは、真空により前記粘着テープに吸着する複数の吸着盤を有してもよい。
【００１９】
前記テープカッターは、前記第２の軸部に設けられたねじりコイルバネをさらに具備してもよい。その場合、前記折返し板は、前記ねじりコイルバネの付勢力に抗して前記粘着テープの前記切断端を折り返す。これにより、折返し板により粘着テープの折返し部が形成された後、ねじりコイルバネの付勢力により折返し板を元の位置に戻すことができる。
【００２０】
本形態に係るテープディスペンサは、保持部と、本体と、テープカッターとを具備する。  
前記保持部は、粘着面及び非粘着面を有し巻回された粘着テープを保持する。  
前記本体は、前記粘着テープを引き出すために、前記保持部を回転可能に支持する。  
前記テープカッターは、ベース部材と、第１の刃と、第１の軸部と、弾性板と、第２の軸部と、折返し板と、吸着ローラとを具備し、前記本体に設けられている。  
前記第１の刃は、前記ベース部材に設けられ、前記粘着テープの前記非粘着面側から、前記粘着テープを切断することが可能である。  
前記第１の軸部は、前記ベース部材に設けられている。  
前記弾性板は、前記第１の軸部を介して前記ベース部材に弾性的に装着され、前記刃により前記粘着テープが切断される時に、前記弾性力に抗して前記粘着テープの前記非粘着面に押圧される。  
前記第２の軸部は、前記弾性板に設けられている。  
前記折返し板は、前記第２の軸部を介して前記弾性板に回動可能に装着され、前記切断後の前記弾性板の戻り力を利用して前記非粘着面と接しながら前記第２の軸部を中心に回動することで、前記粘着テープの切断端を所定の位置まで折り返す。  
前記吸着ローラは、前記粘着テープの引き出し方向に直交する軸を中心に回転可能に設けられ、前記弾性板が前記粘着テープの前記非粘着面に押圧される時に、前記非粘着面に吸着可能である。
【００２１】
前記テープディスペンサは、前記本体の、前記保持部に対して前記テープカッターが設けられる側とは反対側に設けられ、前記粘着テープを、前記粘着面側から切断することが可能な第２の刃をさらに具備してもよい。これにより、テープカッターを用いて粘着テープに折返し部を形成すること、及び、普通に粘着面側から粘着テープを切断することの両方を、このテープディスペンサにより実現することができる。
【００２２】
以下、本発明の実施の形態を図面に基づき説明する。
【００２３】
[第１の実施形態]
図１は、本発明の第１の実施形態に係るテープディスペンサを示す斜視図である。
【００２４】
テープディスペンサ１００は、テープカッター５０と、粘着テープ５を保持する保持部としてのドラム６と、ドラム６を回転可能に支持する本体１とを有する。
【００２５】
本体１は、２つの側板２と、各側板２の端部に接続されて固定された、テープカッター５０を支持する支持台４とを有する。２つの側板２の、互いに向かい合うそれぞれの内側には、それらの側板２の上部から切り欠かれるように設けられた溝７が形成されている。ドラム６の中心に設けられた図示しない回転軸がその溝７に係合し、これによりドラム６が本体１に対して回転可能となっている。
【００２６】
通常のテープディスペンサでは、ユーザの視点から見て上面に、粘着テープの非粘着面が露出するように粘着テープが本体に保持される。しかし、本実施形態では、ユーザの視点から見て上面に粘着面が露出し、下面に非粘着面が露出するように粘着テープ５がドラム６に保持されている。すなわち、粘着テープ５は、ユーザにより、その粘着テープ５の上方ではなく下方から引き出され、回転しながら矢印Ｃの方向に引き出される。
【００２７】
粘着テープ５は、一般的なものでありリール８に巻回されたものが用いられる。粘着テープ５は、例えばセロファンテープが用いられるが、ガムテープ、樹脂（例えばビニールなど）テープ等、何でもよい。
【００２８】
図２は、テープカッター５０を示す斜視図である。図３はテープカッター５０の平面図であり、図４はその側面図である。
【００２９】
テープカッター５０は、刃５２、ベース部材５１、弾性板５３、折返し板５４、吸着ローラ５８を備えている。
【００３０】
ベース部材５１と弾性板５３とは軸部５５により接続されている。軸部５５は、粘着テープ５の引き出し方向（図１の矢印Ａの方向）に直交する方向に沿って設けられている。また、粘着テープ５を切断するための刃５２は、ベース部材５１の、軸部５５が設けられる側とは反対側に装着されている。弾性板５３は、軸部５５を介して前記ベース部材５１に弾性的に装着されており、軸部５５を中心に所定の角度だけ回転するようになっている。例えば図３及び４に示すように、弾性板５３とベース部材５１との間にはコイルバネ５９が設けられ、これにより弾性板５３はベース部材５１に対して弾性力を有する。コイルバネ５９は、吸着ローラ５８と軸部５５との間の領域で弾性板５３の下面側に接続されている。
【００３１】
折返し板５４と弾性板５３との間には軸部５６が接続され、折返し板５４は弾性板５３に対して軸部５６を中心に回動するようになっている。折返し板５４の、軸部５６が設けられた側とは反対側の端部には、表面から突出するようにフランジ部５４ａが形成されている。後述するように、テープカッター５０の動作時において折返し板５４が弾性板５３に対して折り返された時に、フランジ部５４ａが、粘着テープ５を介して吸着ローラ５８に当接して粘着テープ５を押圧する。軸部５５にはねじりコイルバネ５７が設けられ、折返し板５４はこのねじりコイルバネ５７の付勢力に抗して折り返される。ねじりコイルバネ５７は、図のように１つでもよいし、複数あってもよい。
【００３２】
なお、図２に示すように、弾性板５３の、軸部５５に沿った方向における両側には、折返し板５４が折り返された時に、折返し板５４の両側が嵌合する切り欠き溝５３ａが形成されている。
【００３３】
吸着ローラ５８は、その吸着ローラ５８の表面が弾性板５３の表面から突出するように、弾性板５３に形成された開口５３ｂ内で回転自在に設けられている（図４参照）。図２に示すように、吸着ローラ５８は、例えば円柱状部材５８ａと、その円柱状部材５８ａの表面に塗布された粘着材５８ｂとを有する。円柱状部材５８ａの中心には、粘着テープ５の引き出し方向（粘着テープ５の端部がドラム６から離れる方向）に直交する方向に沿って、図示しない回転軸が設けられ、回転軸が弾性板５３の開口５３ｂ内に回転可能に接続されている。
【００３４】
粘着材５８ｂとしては、ＥＶＡ樹脂系、アクリル樹脂系、フェノール樹脂系、エポキシ樹脂系、ウレタン樹脂系等の接着剤を含む材料が用いられればよい。ＥＶＡ樹脂系の粘着材は、近年では耐震のための吸着パッドの材料として用いられる。あるいは、粘着材５８ｂとしては、その粘着材５８ｂと、粘着テープ５（の非粘着面）との間が、粘着テープ５の滑りを抑制できる程度に真空状態（気密性良く）保たれるようなものであってもよい。
【００３５】
後述するように、ユーザは最初に粘着テープ５の端部が吸着ローラ５８に吸着されている状態から、粘着テープ５を吸着ローラ５８から剥がす。ここで、粘着材５８ｂの粘着力、つまり吸着ローラ５８による粘着テープ５への吸着力は、ユーザが吸着ローラ５８に吸着されている粘着テープ５を吸着ローラ５８から簡単に剥がすことができるように設定される。吸着ローラ５８は、粘着テープ５に対して面接触というよりも線接触に近い状態であり、接触面積は少ないので、吸着力が強く設定されても、ユーザは粘着テープ５を吸着ローラ５８から容易に剥がすことができる。
【００３６】
図４に示すように、テープカッター５０の非動作時において、ベース部材５１の上面５１ａと、弾性板５３（及び折返し板５４）の下面との間には予め空間が形成されている。例えばベース部材５１の上面５１ａは、粘着テープ５の引き出し方向に向かうにしたがって低くなる斜面となっている。テープカッター５０の動作時において、ユーザが、弾性板５３及び折返し板５４をコイルバネ５９の付勢力に抗して下方へ下げることができるように、上記空間が形成される。
【００３７】
以上のように構成されたテープカッター５０の動作を説明する。図５は、その動作を順に示す図である。
【００３８】
図５（Ａ）に示すように、粘着テープ５の端部５ｃが吸着ローラ５８に吸着している。なお、図５（Ａ）では、粘着テープ５の端部に既に折返し部５ｄが形成されている状態を示している。しかし、初めてテープカッター５０を使用するときは、もちろんこのような折返し部５ｄは形成されていない。
【００３９】
図５（Ｂ）に示すように、ユーザは、粘着テープ５の端部５ｃの位置が、刃５２の位置を超えるように引き出し、粘着テープ５の下面側である非粘着面５ｂで弾性板５３を押圧する。この時、弾性板５３はコイルバネ５９の付勢力に抗して押圧されるので、弾性板５３は弾性力を持つ状態になる。そして、粘着テープ５の非粘着面５ｂ側から刃５２により粘着テープ５が切断される。
【００４０】
図５（Ｂ）に示した動作において、ユーザが吸着ローラ５８に接触させながら粘着テープ５を矢印Ｃの方向に引き出すことも考えられる。この場合、吸着ローラ５８が、粘着テープ５の引き出し方向に直交する軸を中心に回転することにより、例えばユーザが吸着テープを引き出す時に、粘着テープ５が吸着ローラ５８に接触して吸着したとしても、スムーズに粘着テープ５を引き出すことができる。また、引き出し方向以外の方向には、吸着ローラ５８は回転しないので、引き出し方向以外の方向への粘着テープ５の滑りを抑制できる。
【００４１】
例えば、粘着テープ５の引き出し方向以外の方向への滑りやずれを抑制するために、単に回転しない粘着シートが弾性板５３に設けられていても、ユーザが吸着テープを引き出す時にその粘着テープ５が粘着シートに接触し、粘着テープ５の走行の抵抗となるおそれがある。また、その場合、粘着シートが摩擦により弾性板５３から剥がれるおそれもある。本実施形態に係る吸着ローラ５８は、引き出し方向に回転するので、そのような問題はない。
【００４２】
以上の説明において、「直交する」とは、「実質的な直交」を意味する。例えば、図５（Ａ）〜（Ｄ）に示したテープカッター５０の一連の動作において、問題なく粘着テープ５に折返し部５ｄを形成することができれば、厳密な「直交」でなくてもよい。
【００４３】
次に粘着テープ５が切断されると、図５（Ｃ）に示すように、弾性板５３の弾性力により、弾性板５３が非動作時の位置、つまり初期位置に戻り、その時の慣性力により折返し板５４が、ねじりコイルバネ５７の付勢力に抗して上方へ移動するように回動する。これにより、刃５２で切断された粘着テープ５の切断端が折り返され、折返し板５４のフランジ部５４ａが、粘着テープ５の非粘着面５ｂを、吸着ローラ５８との間で押圧する。その結果、粘着テープ５の折り返された位置において、粘着面５ａ同士が接着され、粘着テープ５に折返し部５ｄが形成される。
【００４４】
そして、図５（Ｄ）に示すように、ねじりコイルバネ５７の弾性力により折返し板５４が、非動作時の位置である初期位置に戻る。
【００４５】
以上のように、本実施形態では、吸着ローラ５８が設けられていることにより、粘着テープ５が吸着ローラ５８に吸着するので、粘着テープ５に孔を開けることなく、粘着テープ５の滑りや横方向へのずれを抑制することができる。特に図５（Ｃ）及び（Ｄ）に示した動作において、粘着テープ５の滑りや横方向へのずれを抑制することができる。
【００４６】
吸着ローラ５８は円柱状であることにより、粘着テープ５が引き出され、弾性板５３が粘着テープ５により押圧される時（または、折返し板５４が折り返される時）に、粘着テープ５から吸着ローラ５８へかかる圧力を大きくすることができる。つまり、吸着ローラ５８が円筒状であることにより、粘着テープ５の非粘着面５ｂと、吸着ローラ５８との接触状態が、面接触ではなく線接触に近い状態になるため、粘着テープ５から吸着ローラ５８へかかる圧力を大きくすることができる。したがって、弾性板５３が粘着テープ５により押圧される時に、ユーザの少ない押圧力で、確実に粘着テープ５を吸着ローラ５８に吸着させることができる。
【００４７】
本実施形態では、折返し板５４にフランジ部５４ａが設けられていることにより、折返し板５４が折り返された時に、折返し板５４は確実に粘着テープ５に押圧力を与えることができる。その結果、確実に粘着テープ５に折返し部５ｄを形成することができる。特に、フランジ部５４ａと吸着ローラ５８との間に粘着テープ５が挟まれ、それらの間で粘着テープ５が圧力を受けることにより、確実に粘着テープ５の折返し部５ｄを形成することができる。
【００４８】
[第２の実施形態]
図６は、本発明の第２の実施形態に係るテープディスペンサ２００を示す斜視図である。
【００４９】
このテープディスペンサ２００において、上記実施形態に係るテープディスペンサ１００と異なる点は、テープディスペンサ２００の本体１１において、テープカッター５０が設けられる位置の反対側に、粘着テープ５を粘着面側から切断する第２の刃１５が設けられる点である。
【００５０】
本実施形態では、ドラム６に対して、テープカッター５０を支持する支持台４が設けられる側とは反対側で、２つの側板２の間に接続された第２の支持台１４が設けられ、第２の刃１５は、この第２の支持台１４に取り付けられている。
【００５１】
このような構成により、ユーザは、粘着テープ５の端部を、第２の刃１５が配置される側に持っていくことにより、通常のテープカッターのように、粘着テープ５を第２の刃１５を用いて粘着面５ａ（図５（Ａ）参照）側から切断することができる。つまり、ユーザは、粘着テープ５の引き出し方向を反転させることにより、テープカッター５０及び第２の刃１５のうちいずれか一方を選択的に使用することができる。
【００５２】
本発明の範囲は、以上の実施形態に限られず、下記のように様々な変形が可能である。
【００５３】
上記実施形態では、１つの吸着ローラ５８が設けられていたが、吸着ローラ５８は複数設けられていてもよい。この場合、吸着ローラ５８の大きさや配置は適宜変更可能である。
【００５４】
弾性板５３と折返し板５４の両方に吸着ローラ５８がそれぞれ設けられていてもよい。あるいは、折返し板５４のみに、１つまたは複数の吸着ローラ５８が設けられていてもよい。
【００５５】
吸着ローラ５８の形状は円柱状に限られず、多角柱状であってもよい。
【００５６】
フランジ部５４ａは必ずしも設けられていなくてもよい。例えば図７（Ａ）に示すように、弾性板６３と折返し板６４との間の軸部５６の軸中心が、弾性板６３の表面（上面）の高さ位置より、折返し板６４が折り返される側、すなわち上側にずれた位置に配置されていればよい。このような構成により、フランジ部がない場合でも、図７（Ｂ）に示すように粘着テープ５を折り返して折返し部５ｄを形成することができる。なお、図７（Ａ）及び（Ｂ）では、ベース部材等の図示を省略している。
【００５７】
上記実施形態では、折返し板５４が折り返された時に、フランジ部５４ａが粘着テープ５を介して吸着ローラ５８に当接し、粘着テープ５を押圧する形態であった。しかし、粘着テープ５の引き出し方向での弾性板５３及び折返し板５４の長さ、または、吸着ローラ５８の配置等によっては、折返し板５４が折り返された時に、フランジ部５４ａが、弾性板５３上の、吸着ローラ５８が配置される位置ではなく別の位置を押圧する形態であってもよい。例えば、フランジ部５４ａは、折返し板５４の端部ではなく、図８（Ａ）及び（Ｂ）に示すように折返し板７４の端部以外の領域に設けられていてもよいし、折返し板７４の表面の大部分の領域に設けられていてもよい。図８（Ａ）及び（Ｂ）に示した例では、フランジ部７４ａが吸着ローラ５８には当接していない。また、フランジ部７４ａの表面が斜面となっており、折返し板７４が折り返された時に、折返し板７４は、フランジ部７４ａのほぼ斜面全体で、弾性板７３との間で粘着テープ５を押圧する。なお、図８（Ａ）及び（Ｂ）では、ベース部材等の図示を省略している。
【００５８】
上記実施形態では、吸着ローラ５８が粘着材を有していた。粘着材の代わりとして、吸着ローラ５８は真空により粘着テープ５に吸着する複数の吸着盤を有していてもよい。
【００５９】
コイルバネ５９に代えて、板バネ等であってもよい。コイルバネ５９は、吸着ローラ５８と軸部５６との間の領域で弾性板５３の下面側に接続されていてもよい。
【００６０】
上記実施形態では、テープディスペンサ１００、２００の本体１、１１は、２つの側板２と支持台４（または第２の支持台４）とが接続されて構成される形態を示した。しかし、これら側板２、支持台４の形状等は限定されず、また側板２及び支持台４が一体成形により形成されたものであってもよい。
【００６１】
上記実施形態では、ベース部材５１の上面は斜面とされていたが、実質的に水平面でもよい。ベース部材５１の上面が水平面の場合であっても、ベース部材５１と弾性板５３（及び折返し板５４）との間に上述したように空間が形成されるように、ベース部材５１や弾性板５３の形状や配置が適宜設計されていればよい。
【００６２】
テープカッター５０は、テープディスペンサ１００、２００の本体１、１１の支持台４に着脱可能な構成であってもよい。例えば着脱可能な構成としては、例えばネジ止めのほか、支持台４の上部に磁性体が設けられる場合、テープカッター５０のベース部材５１に永久磁石が設けられる構成でもよい。
【符号の説明】
【００６３】
１、１１…本体
４…支持台
５…粘着テープ
５ａ…粘着面
５ｂ…非粘着面
５ｃ…端部
５ｄ…折返し部
６…ドラム
１５…第２の刃
５０…テープカッター
５１…ベース部材
５２…刃
５３、６３、７３…弾性板
５４、６４、７４…折返し板
５４ａ、７４ａ…フランジ部
５５…軸部（第１の軸部に相当）
５６…軸部（第２の軸部に相当）
５７…ねじりコイルバネ
５８…吸着ローラ
５８ａ…円柱状部材
５８ｂ…粘着材
５９…コイルバネ
６３…弾性板
６４…板
１００、２００…テープディスペンサ
【図１】
2011030395.tif 000003
【図２】
2011030395.tif 000004
【図３】
2011030395.tif 000005
【図４】
2011030395.tif 000006
【図５】
2011030395.tif 000007
【図６】
2011030395.tif 000008
【図７】
2011030395.tif 000009
【図８】
2011030395.tif 000010
【国際調査報告】
2011030395.tif 000011
2011030395.tif 000012
2011030395.tif 000013
2011030395.tif 000014